(57)【要約】  本発明は、第１ユーザ機器（ＵＥ）が、自身の作動状態を測定し、自身の作動状態が所定の条件を満たすことを測定結果に基づいて確定すると、自身が中継ノードであると確定し、ＰＣ５インタフェースを利用して、自身が中継ノードである旨をＤ２Ｄリンク使用中の他ＵＥに通知することを含むＤ２Ｄ中継ノードの確定方法を開示する。【選択図】  図５
2018514139.tif 000002
【特許請求の範囲】
【請求項１】
第１ＵＥが、自身の作動状態を測定することと、
前記第１ＵＥが、少なくとも前記第１ＵＥの権限又は作動環境又は処理能力を表現するための自身の作動状態が所定の条件を満たすことを測定結果に基づいて確定すると、自身が中継ノードであると確定することと、
前記第１ＵＥが、ＰＣ５インタフェースを利用して、自身が中継ノードである旨をＤ２Ｄリンク使用中の他ＵＥに通知することと
を含むことを特徴とするＤ２Ｄ中継ノードの確定方法。
【請求項２】
前記第１ＵＥが自身の作動状態を測定することは、具体的に、
前記第１ＵＥが、自身の中継権限に対するネットワーク側の認証結果を取得すること、
前記第１ＵＥが、現在アクセスするネットワークの負荷量を取得すること、
前記第１ＵＥが、自身のＵＵインタフェースの信号品質測定値を取得すること、
前記第１ＵＥが、自身の現在のサービス処理能力を取得すること、
前記第１ＵＥが、自身の地理上位置を取得すること、
前記第１ＵＥが、自身の運動速度を取得すること、及び
前記第１ＵＥが、現在のリモートＵＥの中継ニーズ量を取得することのうちの少なくとも１つを含むことを特徴とする請求項１に記載のＤ２Ｄ中継ノードの確定方法。
【請求項３】
前記第１ＵＥが、自身の作動状態が所定の条件を満たすことを測定結果に基づいて確定すると、自身が中継ノードであると確定することは、具体的に、
前記第１ＵＥが、自身の中継権限に対するネットワーク側の認証結果として、使用可中継権限であると確定すると、自身が中継ノードであると確定すること、
前記第１ＵＥが、現在アクセスするネットワークの負荷量が所定閾値より小さいと確定すると、自身が中継ノードであると確定すること、
前記第１ＵＥが、自身のＵＵインタフェースの信号品質測定値が所定閾値より大きいと確定すると、自身が中継ノードであると確定すること、
前記第１ＵＥが、自身の現在のサービス処理能力が所定閾値より大きいと確定すると、自身が中継ノードであると確定すること、
前記第１ＵＥが、自身がセルエッジ位置に位置すると確定すると、自身が中継ノードであると確定すること、
前記第１ＵＥが、自身の運動速度が所定閾値より小さいと確定すると、自身が中継ノードであると確定すること、及び
前記第１ＵＥが、現在のリモートＵＥの中継ニーズ量が所定閾値より大きいと確定すると、自身が中継ノードであると確定することのうちの少なくとも１つを含むことを特徴とする請求項１に記載のＤ２Ｄ中継ノードの確定方法。
【請求項４】
前記第１ＵＥが、ＰＣ５インタフェースを利用して、自身が中継ノードである旨をＤ２Ｄリンク使用中の他ＵＥに通知することは、具体的に、
前記第１ＵＥが、前記第１ＵＥの中継指示とＩＤを付随するＰＣ５インタフェースのＲＲＣメッセージによって、自身が中継ノードである旨をＤ２Ｄリンク使用中の他ＵＥに通知すること、
又は、
前記第１ＵＥが、前記第１ＵＥの中継指示とＩＤを付随するＰＣ５インタフェースのＭＩＢ−ＳＬメッセージによって、自身が中継ノードである旨をＤ２Ｄリンク使用中の他ＵＥに通知することを含むことを特徴とする請求項１〜３のいずれか一項に記載のＤ２Ｄ中継ノードの確定方法。
【請求項５】
前記第１ＵＥが、ＰＣ５インタフェースを利用して、自身が中継ノードである旨をＤ２Ｄリンク使用中の他ＵＥに通知してから、更に、
前記第１ＵＥが、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知することと、
前記第１ＵＥが、自身の作動状態を引き続き周期的に測定することと
を含むことを特徴とする請求項１〜３のいずれか一項に記載のＤ２Ｄ中継ノードの確定方法。
【請求項６】
前記第１ＵＥが、所定範囲内のリモートＵＥから送信され、目標中継指示及び／又は中継ノードのＩＤを付随する中継発見メッセージを受信することと、
前記第１ＵＥが、前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示することと
を更に含むことを特徴とする請求項１に記載のＤ２Ｄ中継ノードの確定方法。
【請求項７】
リモートＵＥが、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信することと、
前記リモートＵＥが、前記通知メッセージに基づいて、前記他ＵＥが中継ノードであると確定することと
を含むことを特徴とするＤ２Ｄ中継ノードの使用方法。
【請求項８】
前記リモートＵＥが、前記通知メッセージに基づいて、前記他ＵＥが中継ノードであると確定することは、具体的に、
前記リモートＵＥが、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定することと、
前記リモートＵＥが、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定することと
を含むことを特徴とする請求項７に記載のＤ２Ｄ中継ノードの使用方法。
【請求項９】
前記リモートＵＥが、前記リモートＵＥの目的中継指示及び／又は中継ノードのＩＤを付随する中継発見メッセージを、ＰＣ５インタフェースを利用してブロードキャストすることと、
前記リモートＵＥが、他中継ノードから前記中継発見メッセージに対し返された中継発見応答メッセージを受信すると、前記他中継ノードに対しＤ２Ｄ通信確立プロセスを起こすことを更に含むことを特徴とする請求項７に記載のＤ２Ｄ中継ノードの使用方法。
【請求項１０】
前記リモートＵＥが、別のリモートＵＥとのＤ２Ｄ接続が必要となると、前記中継ノードによって、前記中継ノードとのＤ２Ｄ通信確立プロセスを起こし、又は、
前記リモートＵＥが、ネットワーク側とのＤ２Ｎ接続が必要となると、前記中継ノードによって、前記中継ノードとのＤ２Ｄ通信確立プロセスを起こすことを更に含むことを特徴とする請求項７〜９のいずれか一項に記載のＤ２Ｄ中継ノードの使用方法。
【請求項１１】
第１ＵＥが、所定範囲内のリモートＵＥから送信され、目的中継指示及び／又は中継ノードのＩＤを付随する中継発見メッセージを受信することと、
前記第１ＵＥが、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示することと
を含むことを特徴とするＤ２Ｄ中継ノードの確定方法。
【請求項１２】
リモートＵＥが、前記リモートＵＥの目的中継指示及び／又は中継ノードのＩＤを付随する中継発見メッセージを、ＰＣ５インタフェースを利用してブロードキャストすることと、
前記リモートＵＥが、他中継ノードから前記中継発見メッセージに対し返された中継発見応答メッセージを受信すると、前記他中継ノードに対しＤ２Ｄ通信確立プロセスを起こすことと
を含むことを特徴とするＤ２Ｄ中継ノードの使用方法。
【請求項１３】
前記リモートＵＥが中継発見メッセージをＰＣ５インタフェースを利用してブロードキャストすることは、具体的に、
前記リモートＵＥが、ＰＣ５インタフェースのＲＲＣメッセージによって、Ｄ２Ｄリンク使用中の他ＵＥに中継発見メッセージをブロードキャストし、又は、
前記リモートＵＥが、ＰＣ５インタフェースのＭＩＢ−ＳＬメッセージによって、Ｄ２Ｄリンク使用中の他ＵＥに中継発見メッセージをブロードキャストすることを含むことを特徴とする請求項１２に記載のＤ２Ｄ中継ノードの使用方法。
【請求項１４】
前記リモートＵＥが、別のリモートＵＥとのＤ２Ｄ接続が必要となると、前記他中継ノードによって、前記他中継ノードとのＤ２Ｄ通信確立プロセスを起こし、又は、
前記リモートＵＥが、ネットワーク側とのＤ２Ｎ接続が必要となると、前記他中継ノードによって、前記他中継ノードとのＤ２Ｄ通信確立プロセスを起こすことを更に含むことを特徴とする請求項１２又は１３に記載のＤ２Ｄ中継ノードの使用方法。
【請求項１５】
Ｄ２Ｄ中継ノードの確定端末において、
自身の作動状態を測定するための測定ユニットと、
少なくとも自端末の権限又は作動環境又は処理能力を表現するための自身の作動状態が所定の条件を満たすことを測定結果に基づいて確定すると、自身が中継ノードであると確定するための確定ユニットと、
ＰＣ５インタフェースを利用して、自身が中継ノードである旨を、Ｄ２Ｄリンク使用中の他ＵＥに通知するための通信ユニットと
を含むことを特徴とするＤ２Ｄ中継ノードの確定端末。
【請求項１６】
前記測定ユニットが自身の作動状態を測定するにあたり、具体的に、
自身の中継権限に対するネットワーク側の認証結果を取得すること、
現在アクセスするネットワークの負荷量を取得すること、
自身のＵＵインタフェースの信号品質測定値を取得すること、
自身の現在のサービス処理能力を取得すること、
自身の地理上位置を取得すること、
自身の運動速度を取得すること、及び
現在のリモートＵＥの中継ニーズ量を取得することのうちの少なくとも１つを含むことを特徴とする請求項１５に記載のＤ２Ｄ中継ノードの確定端末。
【請求項１７】
前記確定ユニットが、自身の作動状態が所定の条件を満たすことを測定結果に基づいて確定すると、自身が中継ノードであると確定することは、具体的に、
自身の中継権限に対するネットワーク側の認証結果として、使用可中継権限であると確定すると、自身が中継ノードであると確定すること、
現在アクセスするネットワークの負荷量が所定閾値より小さいと確定すると、自身が中継ノードであると確定すること、
自身のＵＵインタフェースの信号品質測定値が所定閾値より大きいと確定すると、自身が中継ノードであると確定すること、
自身の現在のサービス処理能力が所定閾値より大きいと確定すると、自身が中継ノードであると確定すること、
自身がセルエッジ位置に位置すると確定すると、自身が中継ノードであると確定すること、
自身の運動速度が所定閾値より小さいと確定すると、自身が中継ノードであると確定すること、及び
現在のリモートＵＥの中継ニーズ量が所定閾値より大きいと確定すると、自身が中継ノードであると確定することのうちの少なくとも１つを含むことを特徴とする請求項１５に記載のＤ２Ｄ中継ノードの確定端末。
【請求項１８】
前記通信ユニットは、ＰＣ５インタフェースを利用して、自身が中継ノードである旨をＤ２Ｄリンク使用中の他ＵＥに通知するにあたり、具体的に、
自端末の中継指示とＩＤを付随するＰＣ５インタフェースのＲＲＣメッセージによって、自身が中継ノードである旨をＤ２Ｄリンク使用中の他ＵＥに通知し、
又は、
自端末の中継指示とＩＤを付随するＰＣ５インタフェースのＭＩＢ−ＳＬメッセージによって、自身が中継ノードである旨をＤ２Ｄリンク使用中の他ＵＥに通知することを特徴とする請求項１５〜１７のいずれか一項に記載のＤ２Ｄ中継ノードの確定端末。
【請求項１９】
前記通信ユニットは、ＰＣ５インタフェースを利用して、自身が中継ノードである旨をＤ２Ｄリンク使用中の他ＵＥに通知してから、更に、
自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知し、
前記測定ユニットが、自身の作動状態を引き続き周期的に測定することを特徴とする請求項１５〜１７のいずれか一項に記載のＤ２Ｄ中継ノードの確定端末。
【請求項２０】
前記通信ユニットは、更に、
所定範囲内のリモートＵＥから送信され、目標中継指示及び／又は中継ノードのＩＤを付随する中継発見メッセージを受信し、
前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示することを特徴とする請求項１５に記載のＤ２Ｄ中継ノードの確定端末。
【請求項２１】
所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信するための通信ユニットと、
前記通知メッセージに基づいて、前記他ＵＥが中継ノードであると確定するための確定ユニットと
を含むことを特徴とするＤ２Ｄ中継ノードの使用端末。
【請求項２２】
前記確定ユニットは、前記通知メッセージに基づいて、前記他ＵＥが中継ノードであると確定するにあたり、具体的に、
任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定し、
任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定することを特徴とする請求項２１に記載のＤ２Ｄ中継ノードの使用端末。
【請求項２３】
前記通信ユニットは、更に、
リモートＵＥの目的中継指示及び／又は中継ノードのＩＤを付随する中継発見メッセージを、ＰＣ５インタフェースを利用してブロードキャストし、
前記リモートＵＥは、他中継ノードから前記中継発見メッセージに対し返された中継発見応答メッセージを受信すると、前記他中継ノードに対しＤ２Ｄ通信確立プロセスを起こすことを特徴とする請求項２１に記載のＤ２Ｄ中継ノードの使用端末。
【請求項２４】
前記通信ユニットは、更に、
別のリモートＵＥとのＤ２Ｄ接続が必要であると確定すると、前記中継ノードによって、前記中継ノードとのＤ２Ｄ通信確立プロセスを起こし、又は、
ネットワーク側とのＤ２Ｎ接続が必要であると確定すると、前記中継ノードによって、前記中継ノードとのＤ２Ｄ通信確立プロセスを起こすことを特徴とする請求項２１〜２３のいずれか一項に記載のＤ２Ｄ中継ノードの使用方法。
【請求項２５】
所定範囲内のリモートＵＥから送信され、目的中継指示及び／又は中継ノードのＩＤを付随する中継発見メッセージを受信するための受信ユニットと、
前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するための処理ユニットと
を含むことを特徴とするＤ２Ｄ中継ノードの確定端末。
【請求項２６】
前記リモートＵＥの目的中継指示及び／又は中継ノードのＩＤを付随する中継発見メッセージを、ＰＣ５インタフェースを利用してブロードキャストするための第１通信ユニットと、
他中継ノードから前記中継発見メッセージに対し返された中継発見応答メッセージを受信すると、前記他中継ノードに対しＤ２Ｄ通信確立プロセスを起こすための第２通信ユニットと
を含むことを特徴とするＤ２Ｄ中継ノードの使用端末。
【請求項２７】
前記第１通信ユニットは、中継発見メッセージをＰＣ５インタフェースを利用してブロードキャストするにあたり、具体的に、
ＰＣ５インタフェースのＲＲＣメッセージによって、Ｄ２Ｄリンク使用中の他ＵＥに中継発見メッセージをブロードキャストし、又は、
ＰＣ５インタフェースのＭＩＢ−ＳＬメッセージによって、Ｄ２Ｄリンク使用中の他ＵＥに中継発見メッセージをブロードキャストすることを特徴とする請求項２６に記載のＤ２Ｄ中継ノードの使用端末。
【請求項２８】
前記第２通信ユニットは、更に、
別のリモートＵＥとのＤ２Ｄ接続が必要であると確定すると、前記他中継ノードによって、前記他中継ノードとのＤ２Ｄ通信確立プロセスを起こし、又は、
ネットワーク側とのＤ２Ｎ接続が必要であると確定すると、前記他中継ノードによって、前記他中継ノードとのＤ２Ｄ通信確立プロセスを起こすことを特徴とする請求項２６又は２７に記載のＤ２Ｄ中継ノードの使用端末。
【請求項２９】
バスアーキテクチャと通常の処理を管理するプロセッサと、プロセッサによる作業時に使用されるデータを記憶できるメモリと、データを送受信するためのトランシーバとを含むＤ２Ｄ中継ノードの確定端末において、
プロセッサは、メモリからプログラムを読み出して、
自身の作動状態を測定するプロセスと、
少なくとも自端末の権限又は作動環境又は処理能力を表現するための自身の作動状態が所定の条件を満たすことを測定結果に基づいて確定すると、自身が中継ノードであると確定するプロセスと、
トランシーバを介し、ＰＣ５インタフェースを利用して自身が中継ノードである旨をＤ２Ｄリンク使用中の他ＵＥに通知するプロセスを実行することを特徴とするＤ２Ｄ中継ノードの確定端末。
【請求項３０】
バスアーキテクチャと通常の処理を管理するプロセッサと、プロセッサによる作業時に使用されるデータを記憶できるメモリと、データを送受信するためのトランシーバとを含むＤ２Ｄ中継ノードの使用端末において、
プロセッサは、メモリからプログラムを読み出して、
所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージをトランシーバを介して受信するプロセスと、
前記通知メッセージに基づいて、前記他ＵＥが中継ノードであると確定するプロセスを実行することを特徴とするＤ２Ｄ中継ノードの使用端末。
【請求項３１】
バスアーキテクチャと通常の処理を管理するプロセッサと、プロセッサによる作業時に使用されるデータを記憶できるメモリと、データを送受信するためのトランシーバとを含むＤ２Ｄ中継ノードの確定端末において、
プロセッサは、メモリからプログラムを読み出して、
所定範囲内のリモートＵＥから送信され、目的中継指示及び／又は中継ノードのＩＤを付随する中継発見メッセージをトランシーバを介して受信するプロセスと、
前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するプロセスを実行することを特徴とするＤ２Ｄ中継ノードの確定端末。
【請求項３２】
バスアーキテクチャと通常の処理を管理するプロセッサと、プロセッサによる作業時に使用されるデータを記憶できるメモリと、データを送受信するためのトランシーバとを含むＤ２Ｄ中継ノードの使用端末において、
プロセッサは、メモリからプログラムを読み出して、
前記リモートＵＥの目的中継指示及び／又は中継ノードのＩＤを付随する中継発見メッセージを、トランシーバを介し、ＰＣ５インタフェースを利用してブロードキャストするプロセスと、
他中継ノードから前記中継発見メッセージに対し返された中継発見応答メッセージをトランシーバを介して受信すると、前記他中継ノードに対しＤ２Ｄ通信確立プロセスを起こすプロセスを実行することを特徴とするＤ２Ｄ中継ノードの使用端末。
【発明の詳細な説明】
【技術分野】
【０００１】
本願は、２０１５年４月８日に中国特許庁に提出された中国特許出願２０１５１０１６３６７３．３の優先権を主張し、その全ての内容が援用により本願に取り込まれる。
【０００２】
本発明は、通信分野に関し、特にＤ２Ｄ（Ｄｅｖｉｃｅ−ｔｏ−Ｄｅｖｉｃｅ）中継ノードの確定方法、使用方法及び装置に関する。
【背景技術】
【０００３】
発展していく将来の移動通信システムにおいて、ユーザのニーズをより満足させるには、Ｄ２Ｄ技術が導入される。当該Ｄ２Ｄ技術とは、近傍端末が近距離範囲内で直接接続リンクによりデータ伝送を行うことができる方式であり、中心ノード（即ち基地局）による転送を必要とせず、従来のセルラーリンクによるＵＥ（Ｕｓｅｒ  Ｅｑｕｉｐｍｅｎｔ）間の情報伝送も必要としない。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｄ２Ｄ近傍サービスは、具体的に図１に示されるＤ２Ｄ発見とＤ２Ｄ通信の２種類を含む。
【０００５】
Ｄ２Ｄ発見とは、ＵＥがＥ−ＵＴＲＡＮ（Ｅｖｏｌｖｅｄ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋ）を使用してその近くに他ＵＥがあることを確認することである。例えば、Ｄ２Ｄ  ＵＥは、当該サービスを使用して近くのタクシーを探したり、近くにいる友達を探したりすることができる。
【０００６】
Ｄ２Ｄ通信とは、ネットワーク通信リンクからローカルの直接接続通信リンクへの変換により大量の帯域幅とネットワーク効率を節約することであり、互いに近傍にある２つのＵＥの間にリンクを直接確立する（図１を参照する）ことにより、元々ネットワーク通信リンクを介して通信する２つの互いに近傍にあるＵＥが、直接接続リンク通信を介して安定な、高速で低価格の通信サービスを取得することができる。近傍サービス通信は、通常ネットワーク側機器による制御又は補助で行われる。場合によって、ｅＮＢは、近傍サービス通信を行うＵＥに対しリソースを動的に割り当てる可能性がある。
【０００７】
関連技術におけるＤ２Ｄ中継は、ＵＥ・ネットワーク中継とＵＥ・ＵＥ中継の２方式を含む。
【０００８】
図２に示すように、ＵＥ・ネットワーク中継におけるリモートＵＥ（Ｒｅｍｏｔｅ  ＵＥ）は、オフライン状態にある。リモートＵＥがネットワークにアクセスすることができないため、ＵＥ・ネットワーク（ＵＥ−ｔｏ−Ｎｅｔｗｏｒｋ）中継ノードは、リモートＵＥに対し、ネットワークにアクセスしてユニキャスト通信を行う機能を提供する。ＵＥ・ネットワーク中継ノードは、リモートＵＥとネットワークの間でパブリックセーフティに関するサービスデータ（ＤＬ（Ｄｏｗｎｌｉｎｋ）／ＵＬ（Ｕｐｌｉｎｋ）データを含む）をルーティングする。
【０００９】
一方、ＵＥ・ＵＥ中継におけるパブリックセーフティＵＥは、中継機能をサポートする。中継機能をサポートするパブリックセーフティＵＥは、２つのパブリックセーフティＵＥの間でデータを中継することができる。図３には、中継機能をサポートするパブリックセーフティＵＥが２つのパブリックセーフティＵＥの間でデータを中継する例が示されている。
【００１０】
パブリックセーフティＵＥ１とパブリックセーフティＵＥ２とは近隣ではなく、パブリックセーフティＵＥ３とパブリックセーフティＵＥ１とは近隣であり、パブリックセーフティＵＥ３とパブリックセーフティＵＥ２とは近隣である。また、パブリックセーフティＵＥ３は、中継機能をサポートする。パブリックセーフティＵＥ１からパブリックセーフティＵＥ２との通信をしようとする場合、両者が近隣ではないため、パブリックセーフティＵＥ３は、この通信の中継ノードとして、パブリックセーフティＵＥ１とパブリックセーフティＵＥ２の間でデータを転送する。
【００１１】
このことから分かるように、関連技術のＤ２Ｄ発見又はＤ２Ｄ通信のメカニズムにおいて、現在、通信開始側は、近隣発見プロセスでその近隣のＵＥ情報しか取得できず、どのＵＥが中継をサポートするか不明であり、適切なＵＥ・ネットワーク中継又はＵＥ・ＵＥ（ＵＥ−ｔｏ−ＵＥ）中継ノードを選択してネットワークにアクセスし又は通信することができない。現在、中継ノードによる中継機能の活性化／非活性化のメカニズムもなく、Ｄ２Ｄ発見とＤ２Ｄ通信のデータ伝送効率と正確率を大きく制約している。
【発明の概要】
【発明が解決しようとする課題】
【００１２】
関連技術において、中継ノードによる中継の活性化という機能がないためＤ２Ｄ発見効率が低下するという問題が存在する。本発明の実施例は、それを解決するためのＤ２Ｄ中継ノードの確定方法、使用方法及び装置を提供する。
【課題を解決するための手段】
【００１３】
本発明の実施例の目的は、以下の技術手段により実現される。
【００１４】
Ｄ２Ｄ中継ノードの確定方法において、第１ＵＥが、自身の作動状態を測定することと、前記第１ＵＥが、少なくとも前記第１ＵＥの権限又は作動環境又は処理能力を表現するための自身の作動状態が所定の条件を満たすことを測定結果に基づいて確定すると、自身が中継ノードであると確定することと、前記第１ＵＥが、ＰＣ５インタフェースを利用して、自身が中継ノードである旨をＤ２Ｄリンク使用中の他ＵＥに通知することとを含む。
【００１５】
このように、Ｄ２Ｄ発見又はＤ２Ｄ通信において、中継ノードを迅速に確定してデータ伝送を行うことができ、Ｄ２Ｄ発見又はＤ２Ｄ通信の効率が向上する。
【００１６】
また、前記第１ＵＥが自身の作動状態を測定することは、具体的に、前記第１ＵＥが自身の中継権限に対するネットワーク側の認証結果を取得すること、前記第１ＵＥが現在アクセスするネットワークの負荷量を取得すること、前記第１ＵＥが自身のＵＵインタフェースの信号品質測定値を取得すること、前記第１ＵＥが自身の現在のサービス処理能力を取得すること、前記第１ＵＥが自身の地理上位置を取得すること、前記第１ＵＥが自身の運動速度を取得すること、及び前記第１ＵＥが現在のリモートＵＥの中継ニーズ量を取得することのうちの少なくとも１つを含む。
【００１７】
また、前記第１ＵＥが、自身の作動状態が所定の条件を満たすことを測定結果に基づいて確定すると、自身が中継ノードであると確定することは、具体的に、前記第１ＵＥが、自身の中継権限に対するネットワーク側の認証結果として、使用可中継権限であると確定すると、自身が中継ノードであると確定すること、前記第１ＵＥが、現在アクセスするネットワークの負荷量が所定閾値より小さいと確定すると、自身が中継ノードであると確定すること、前記第１ＵＥが、自身のＵＵインタフェースの信号品質測定値が所定閾値より大きいと確定すると、自身が中継ノードであると確定すること、前記第１ＵＥが、自身の現在のサービス処理能力が所定閾値より大きいと確定すると、自身が中継ノードであると確定すること、前記第１ＵＥが、自身がセルエッジ位置に位置すると確定すると、自身が中継ノードであると確定すること、前記第１ＵＥが、自身の運動速度が所定閾値より小さいと確定すると、自身が中継ノードであると確定すること、及び前記第１ＵＥが、現在のリモートＵＥの中継ニーズ量が所定閾値より大きいと確定すると、自身が中継ノードであると確定することのうちの少なくとも１つを含む。
【００１８】
また、前記第１ＵＥが、ＰＣ５インタフェースを利用して、自身が中継ノードである旨をＤ２Ｄリンク使用中の他ＵＥに通知することは、具体的に、前記第１ＵＥが、前記第１ＵＥの中継指示とＩＤを付随するＰＣ５インタフェースのＲＲＣ（Ｒａｄｉｏ  Ｒｅｓｏｕｒｃｅ  Ｃｏｎｔｒｏｌ）メッセージによって、自身が中継ノードである旨をＤ２Ｄリンク使用中の他ＵＥに通知すること、又は、前記第１ＵＥが、前記第１ＵＥの中継指示とＩＤを付随するＰＣ５インタフェースのＭＩＢ−ＳＬ（ＵＥ間のＭａｓｔｅｒＩｎｆｏｒｍａｔｉｏｎＢｌｏｃｋ−  ＳｉｄｅＬｉｎｋ）メッセージによって、自身が中継ノードである旨をＤ２Ｄリンク使用中の他ＵＥに通知することを含む。
【００１９】
また、前記第１ＵＥが、ＰＣ５インタフェースを利用して、自身が中継ノードである旨をＤ２Ｄリンク使用中の他ＵＥに通知してから、更に、前記第１ＵＥが、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知することと、前記第１ＵＥが、自身の作動状態を引き続き周期的に測定することとを含む。
【００２０】
また、前記方法において、前記第１ＵＥが、所定範囲内のリモートＵＥから送信され、目標中継指示及び／又は中継ノードのＩＤを付随する中継発見メッセージを受信することと、前記第１ＵＥが、前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示することとを更に含む。
【００２１】
Ｄ２Ｄ中継ノードの使用方法において、リモートＵＥが、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信することと、前記リモートＵＥが、前記通知メッセージに基づいて、前記他ＵＥが中継ノードであると確定することとを含む。
【００２２】
このように、Ｄ２Ｄ発見又はＤ２Ｄ通信において、中継ノードを迅速に確定し、それを利用してデータ伝送を行うことができ、Ｄ２Ｄ発見又はＤ２Ｄ通信の効率が向上する。
【００２３】
また、前記リモートＵＥが、前記通知メッセージに基づいて、前記他ＵＥが中継ノードであると確定することは、具体的に、前記リモートＵＥが、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定することと、前記リモートＵＥが、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定することとを含む。
【００２４】
また、前記方法において、前記リモートＵＥが、前記リモートＵＥの目的中継指示及び／又は中継ノードのＩＤを付随する中継発見メッセージを、ＰＣ５インタフェースを利用してブロードキャストすることと、前記リモートＵＥが、他中継ノードから前記中継発見メッセージに対し返された中継発見応答メッセージを受信すると、前記他中継ノードに対しＤ２Ｄ通信確立プロセスを起こすことを更に含む。
【００２５】
また、前記方法において、前記リモートＵＥが、別のリモートＵＥとのＤ２Ｄ接続が必要となると、前記中継ノードによって、前記中継ノードとのＤ２Ｄ通信確立プロセスを起こし、又は、前記リモートＵＥが、ネットワーク側とのＤ２Ｎ（Ｄｅｖｉｃｅ−ｔｏ−Ｎｅｔｗｏｒｋ）接続が必要となると、前記中継ノードによって、前記中継ノードとのＤ２Ｄ通信確立プロセスを起こすことを更に含む。
【００２６】
Ｄ２Ｄ中継ノードの確定方法において、第１ＵＥが、所定範囲内のリモートＵＥから送信され、目的中継指示及び／又は中継ノードのＩＤを付随する中継発見メッセージを受信することと、前記第１ＵＥが、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示することとを含む。
【００２７】
このように、Ｄ２Ｄ発見又はＤ２Ｄ通信において、迅速に中継ノードを使用してデータ伝送を行うことができ、Ｄ２Ｄ発見又はＤ２Ｄ通信の効率が向上する。
【００２８】
Ｄ２Ｄ中継ノードの使用方法において、リモートＵＥが、前記リモートＵＥの目的中継指示及び／又は中継ノードのＩＤを付随する中継発見メッセージを、ＰＣ５インタフェースを利用してブロードキャストすることと、前記リモートＵＥが、他中継ノードから前記中継発見メッセージに対し返された中継発見応答メッセージを受信すると、前記他中継ノードに対しＤ２Ｄ通信確立プロセスを起こすこととを含む。
【００２９】
このように、Ｄ２Ｄ発見又はＤ２Ｄ通信において、中継ノードを迅速に発見し、それを使用してデータ伝送を行うことができ、Ｄ２Ｄ発見又はＤ２Ｄ通信の効率が向上する。
【００３０】
また、前記リモートＵＥが中継発見メッセージをＰＣ５インタフェースを利用してブロードキャストすることは、具体的に、前記リモートＵＥが、ＰＣ５インタフェースのＲＲＣメッセージによって、Ｄ２Ｄリンク使用中の他ＵＥに中継発見メッセージをブロードキャストし、又は、前記リモートＵＥが、ＰＣ５インタフェースのＭＩＢ−ＳＬメッセージによって、Ｄ２Ｄリンク使用中の他ＵＥに中継発見メッセージをブロードキャストすることを含む。
【００３１】
また、前記方法において、前記リモートＵＥが、別のリモートＵＥとのＤ２Ｄ接続が必要となると、前記他中継ノードによって、前記他中継ノードとのＤ２Ｄ通信確立プロセスを起こし、又は、前記リモートＵＥが、ネットワーク側とのＤ２Ｎ接続が必要となると、前記他中継ノードによって、前記他中継ノードとのＤ２Ｄ通信確立プロセスを起こすことを更に含む。
【００３２】
Ｄ２Ｄ中継ノードの確定端末において、自身の作動状態を測定するための測定ユニットと、少なくとも自端末の権限又は作動環境又は処理能力を表現するための自身の作動状態が所定の条件を満たすことを測定結果に基づいて確定すると、自身が中継ノードであると確定するための確定ユニットと、ＰＣ５インタフェースを利用して、自身が中継ノードである旨を、Ｄ２Ｄリンク使用中の他ＵＥに通知するための通信ユニットとを含む。
【００３３】
このように、Ｄ２Ｄ発見又はＤ２Ｄ通信において、中継ノードを迅速に発見してデータ伝送を行うことができ、Ｄ２Ｄ発見又はＤ２Ｄ通信の効率が向上する。
【００３４】
また、前記測定ユニットが自身の作動状態を測定するにあたり、具体的に、自身の中継権限に対するネットワーク側の認証結果を取得すること、現在アクセスするネットワークの負荷量を取得すること、自身のＵＵインタフェースの信号品質測定値を取得すること、自身の現在のサービス処理能力を取得すること、自身の地理上位置を取得すること、自身の運動速度を取得すること、及び現在のリモートＵＥの中継ニーズ量を取得することのうちの少なくとも１つを含む。
【００３５】
また、前記確定ユニットが、自身の作動状態が所定の条件を満たすことを測定結果に基づいて確定すると、自身が中継ノードであると確定することは、具体的に、自身の中継権限に対するネットワーク側の認証結果として、使用可中継権限であると確定すると、自身が中継ノードであると確定すること、現在アクセスするネットワークの負荷量が所定閾値より小さいと確定すると、自身が中継ノードであると確定すること、自身のＵＵインタフェースの信号品質測定値が所定閾値より大きいと確定すると、自身が中継ノードであると確定すること、自身の現在のサービス処理能力が所定閾値より大きいと確定すると、自身が中継ノードであると確定すること、自身がセルエッジ位置に位置すると確定すると、自身が中継ノードであると確定すること、自身の運動速度が所定閾値より小さいと確定すると、自身が中継ノードであると確定すること、及び現在のリモートＵＥの中継ニーズ量が所定閾値より大きいと確定すると、自身が中継ノードであると確定することのうちの少なくとも１つを含む。
【００３６】
また、前記通信ユニットは、ＰＣ５インタフェースを利用して、自身が中継ノードである旨をＤ２Ｄリンク使用中の他ＵＥに通知するにあたり、具体的に、自端末の中継指示とＩＤを付随するＰＣ５インタフェースのＲＲＣメッセージによって、自身が中継ノードである旨をＤ２Ｄリンク使用中の他ＵＥに通知し、又は、自端末の中継指示とＩＤを付随するＰＣ５インタフェースのＭＩＢ−ＳＬメッセージによって、自身が中継ノードである旨をＤ２Ｄリンク使用中の他ＵＥに通知する。
【００３７】
また、前記通信ユニットは、ＰＣ５インタフェースを利用して、自身が中継ノードである旨をＤ２Ｄリンク使用中の他ＵＥに通知してから、更に、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知する。前記測定ユニットは、自身の作動状態を引き続き周期的に測定する。
【００３８】
また、前記通信ユニットは、更に、所定範囲内のリモートＵＥから送信され、目標中継指示及び／又は中継ノードのＩＤを付随する中継発見メッセージを受信し、前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示する。
【００３９】
Ｄ２Ｄ中継ノードの使用端末において、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信するための通信ユニットと、前記通知メッセージに基づいて、前記他ＵＥが中継ノードであると確定するための確定ユニットとを含む。
【００４０】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【００４１】
また、前記確定ユニットは、前記通知メッセージに基づいて、前記他ＵＥが中継ノードであると確定するにあたり、具体的に、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定し、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定する。
【００４２】
また、前記通信ユニットは、更に、リモートＵＥの目的中継指示及び／又は中継ノードのＩＤを付随する中継発見メッセージを、ＰＣ５インタフェースを利用してブロードキャストし、前記リモートＵＥは、他中継ノードから前記中継発見メッセージに対し返された中継発見応答メッセージを受信すると、前記他中継ノードに対しＤ２Ｄ通信確立プロセスを起こす。
【００４３】
また、前記通信ユニットは、更に、別のリモートＵＥとのＤ２Ｄ接続が必要であると確定すると、前記中継ノードによって、前記中継ノードとのＤ２Ｄ通信確立プロセスを起こし、又は、ネットワーク側とのＤ２Ｎ接続が必要であると確定すると、前記中継ノードによって、前記中継ノードとのＤ２Ｄ通信確立プロセスを起こす。
【００４４】
Ｄ２Ｄ中継ノードの確定端末において、所定範囲内のリモートＵＥから送信され、目的中継指示及び／又は中継ノードのＩＤを付随する中継発見メッセージを受信するための受信ユニットと、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するための処理ユニットとを含む。
【００４５】
このように、Ｄ２Ｄ発見又はＤ２Ｄ通信において、迅速に中継ノードを利用してデータ伝送を行うことができ、Ｄ２Ｄ発見又はＤ２Ｄ通信の効率が向上する。
【００４６】
Ｄ２Ｄ中継ノードの使用端末において、前記リモートＵＥの目的中継指示及び／又は中継ノードのＩＤを付随する中継発見メッセージを、ＰＣ５インタフェースを利用してブロードキャストするための第１通信ユニットと、他中継ノードから前記中継発見メッセージに対し返された中継発見応答メッセージを受信すると、前記他中継ノードに対しＤ２Ｄ通信確立プロセスを起こすための第２通信ユニットとを含む。
【００４７】
このように、Ｄ２Ｄ発見又はＤ２Ｄ通信において、迅速に中継ノードを発見し、それを利用してデータ伝送を行うことができ、Ｄ２Ｄ発見又はＤ２Ｄ通信の効率が向上する。
【００４８】
また、前記第１通信ユニットは、中継発見メッセージをＰＣ５インタフェースを利用してブロードキャストするにあたり、具体的に、ＰＣ５インタフェースのＲＲＣメッセージによって、Ｄ２Ｄリンク使用中の他ＵＥに中継発見メッセージをブロードキャストし、又は、ＰＣ５インタフェースのＭＩＢ−ＳＬメッセージによって、Ｄ２Ｄリンク使用中の他ＵＥに中継発見メッセージをブロードキャストする。
【００４９】
また、前記第２通信ユニットは、更に、別のリモートＵＥとのＤ２Ｄ接続が必要であると確定すると、前記他中継ノードによって、前記他中継ノードとのＤ２Ｄ通信確立プロセスを起こし、又は、ネットワーク側とのＤ２Ｎ接続が必要であると確定すると、前記他中継ノードによって、前記他中継ノードとのＤ２Ｄ通信確立プロセスを起こす。
【００５０】
ユーザ機器において、プロセッサと、プロセッサによる制御でデータを送受信するためのトランシーバとを含む。プロセッサは、メモリからプログラムを読み出して、自身の作動状態を測定するプロセスと、少なくとも自端末の権限又は作動環境又は処理能力を表現するための自身の作動状態が所定の条件を満たすことを測定結果に基づいて確定すると、自身が中継ノードであると確定するプロセスと、トランシーバを介し、ＰＣ５インタフェースを利用して自身が中継ノードである旨をＤ２Ｄリンク使用中の他ＵＥに通知するプロセスを実行する。
【００５１】
このように、Ｄ２Ｄ発見又はＤ２Ｄ通信において、中継ノードを迅速に発見してデータ伝送を行うことができ、Ｄ２Ｄ発見又はＤ２Ｄ通信の効率が向上する。
【００５２】
また、前記プロセッサは、自身の作動状態を測定するにあたり、具体的に、自身の中継権限に対するネットワーク側の認証結果を取得すること、現在アクセスするネットワークの負荷量を取得すること、自身のＵＵインタフェースの信号品質測定値を取得すること、自身の現在のサービス処理能力を取得すること、自身の地理上位置を取得すること、自身の運動速度を取得すること、及び現在のリモートＵＥの中継ニーズ量を取得することのうちの少なくとも１つを含む。
【００５３】
また、プロセッサは、自身の作動状態が所定の条件を満たすことを測定結果に基づいて確定すると、自身が中継ノードであると確定することは、具体的に、自身の中継権限に対するネットワーク側の認証結果として、使用可中継権限であると確定すると、自身が中継ノードであると確定すること、現在アクセスするネットワークの負荷量が所定閾値より小さいと確定すると、自身が中継ノードであると確定すること、自身のＵＵインタフェースの信号品質測定値が所定閾値より大きいと確定すると、自身が中継ノードであると確定すること、自身の現在のサービス処理能力が所定閾値より大きいと確定すると、自身が中継ノードであると確定すること、自身がセルエッジ位置に位置すると確定すると、自身が中継ノードであると確定すること、自身の運動速度が所定閾値より小さいと確定すると、自身が中継ノードであると確定すること、及び現在のリモートＵＥの中継ニーズ量が所定閾値より大きいと確定すると、自身が中継ノードであると確定することのうちの少なくとも１つを含む。
【００５４】
また、プロセッサは、トランシーバを介して、ＰＣ５インタフェースを利用して自身が中継ノードである旨をＤ２Ｄリンク使用中の他ＵＥに通知することは、具体的に、自端末の中継指示とＩＤを付随するＰＣ５インタフェースのＲＲＣメッセージによって、自身が中継ノードである旨をＤ２Ｄリンク使用中の他ＵＥに通知し、又は、自端末の中継指示とＩＤを付随するＰＣ５インタフェースのＭＩＢ−ＳＬメッセージによって、自身が中継ノードである旨をＤ２Ｄリンク使用中の他ＵＥに通知する。
【００５５】
また、プロセッサは、ＰＣ５インタフェースを利用して、自身が中継ノードである旨をＤ２Ｄリンク使用中の他ＵＥに通知してから、更に、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知し、自身の作動状態を引き続き周期的に測定する。
【００５６】
また、プロセッサは、所定範囲内のリモートＵＥから送信され、目標中継指示及び／又は中継ノードのＩＤを付随する中継発見メッセージをトランシーバを介して受信し、前記中継発見メッセージに基づいて、自身のＩＤがいずれの目標中継指示及び／又は中継ノードのＩＤに正しくマッチすると確定すると、前記リモートＵＥに中継発見応答メッセージをトランシーバを介して送信し、Ｄ２Ｄ通信を確立するよう前記リモートＵＥに指示する。
【００５７】
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバは、複数の部品であってもよく、即ち送信機と受信機を含み、伝送媒体で他の各種類の装置と通信するユニットとして提供される。ユーザ機器によっては、ユーザインタフェースは、内部接続や外部接続する機器のインタフェースであってもよい。接続する機器は、キーパッド、ディスプレイ、スピーカ、マイクロフォン、ジョイスティックなどを含むが、それらに限られない。
【００５８】
ユーザ機器は、バスアーキテクチャと通常の処理を管理するプロセッサと、プロセッサによる作業時に使用されるデータを記憶できるメモリと、プロセッサによる制御でデータを送受信するためのトランシーバとを含む。プロセッサは、メモリからプログラムを読み出して、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージをトランシーバを介して受信するプロセスと、通知メッセージに基づいて、前記他ＵＥが中継ノードであると確定するプロセスを実行する。
【００５９】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【００６０】
また、プロセッサは、前記通知メッセージに基づいて、前記他ＵＥが中継ノードであると確定することは、具体的に、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定し、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定する。
【００６１】
また、プロセッサは、前記リモートＵＥの目的中継指示及び／又は中継ノードのＩＤを付随する中継発見メッセージを、トランシーバを介してブロードキャストする。前記リモートＵＥは、他中継ノードから前記中継発見メッセージに対し返された中継発見応答メッセージを受信すると、トランシーバを介して前記他中継ノードに対しＤ２Ｄ通信確立プロセスを起こす。
【００６２】
また、プロセッサは、別のリモートＵＥとのＤ２Ｄ接続が必要であると確定すると、前記中継ノードによって、前記中継ノードとのＤ２Ｄ通信確立プロセスを起こし、又は、ネットワーク側とのＤ２Ｎ接続が必要であると確定すると、前記中継ノードによって、前記中継ノードとのＤ２Ｄ通信確立プロセスを起こすことを更に含む。
【００６３】
トランシーバは、プロセッサによる制御でデータを送受信するためのものである。
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバは、複数の部品であってもよく、即ち送信機と受信機を含み、伝送媒体で他の各種類の装置と通信するユニットとして提供される。ユーザ機器によっては、ユーザインタフェースは、内部接続や外部接続する機器のインタフェースであってもよい。接続する機器は、キーパッド、ディスプレイ、スピーカ、マイクロフォン、ジョイスティックなどを含むが、それらに限られない。
【００６４】
プロセッサは、バスアーキテクチャと通常の処理を管理する。メモリは、プロセッサによる作業時に使用されるデータを記憶できる。
【００６５】
ユーザ機器は、バスアーキテクチャと通常の処理を管理するプロセッサと、プロセッサによる作業時に使用されるデータを記憶できるメモリと、プロセッサによる制御でデータを送受信するためのトランシーバとを含む。プロセッサは、メモリからプログラムを読み出して、所定範囲内のリモートＵＥから送信され、目的中継指示及び／又は中継ノードのＩＤを付随する中継発見メッセージをトランシーバを介して受信するプロセスと、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するプロセスを実行する。
【００６６】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【００６７】
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバは、複数の部品であってもよく、即ち送信機と受信機を含み、伝送媒体で他の各種類の装置と通信するユニットとして提供される。ユーザ機器によっては、ユーザインタフェースは、内部接続や外部接続する機器のインタフェースであってもよい。接続する機器は、キーパッド、ディスプレイ、スピーカ、マイクロフォン、ジョイスティックなどを含むが、それらに限られない。
【００６８】
プロセッサは、バスアーキテクチャと通常の処理を管理する。メモリは、プロセッサによる作業時に使用されるデータを記憶できる。
【００６９】
ユーザ機器は、バスアーキテクチャと通常の処理を管理するプロセッサと、プロセッサによる作業時に使用されるデータを記憶できるメモリと、プロセッサによる制御でデータを送受信するためのトランシーバとを含む。プロセッサは、メモリからプログラムを読み出して、前記リモートＵＥの目的中継指示及び／又は中継ノードのＩＤを付随する中継発見メッセージをトランシーバを介してブロードキャストするプロセスと、他中継ノードから前記中継発見メッセージに対し返された中継発見応答メッセージを受信すると、前記他中継ノードに対しＤ２Ｄ通信確立プロセスを起こすプロセスを実行する。
【００７０】
このように、Ｄ２Ｄ発見又はＤ２Ｄ通信において、中継ノードを迅速に発見し、それを利用してデータ伝送を行うことができ、Ｄ２Ｄ発見又はＤ２Ｄ通信の効率が向上する。
【００７１】
また、プロセッサは、中継発見メッセージをトランシーバを介してブロードキャストするにあたり、具体的に、ＰＣ５インタフェースのＲＲＣメッセージによって、Ｄ２Ｄリンク使用中の他ＵＥに中継発見メッセージをブロードキャストし、又は、ＰＣ５インタフェースのＭＩＢ−ＳＬメッセージによって、Ｄ２Ｄリンク使用中の他ＵＥに中継発見メッセージをブロードキャストする。
【００７２】
また、プロセッサは、更に、別のリモートＵＥとのＤ２Ｄ接続が必要であると確定すると、前記他中継ノードによって、前記他中継ノードとのＤ２Ｄ通信確立プロセスを起こし、又は、ネットワーク側とのＤ２Ｎ接続が必要であると確定すると、前記他中継ノードによって、前記他中継ノードとのＤ２Ｄ通信確立プロセスを起こす。
【００７３】
トランシーバは、プロセッサによる制御でデータを送受信するためのものである。
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバは、複数の部品であってもよく、即ち送信機と受信機を含み、伝送媒体で他の各種類の装置と通信するユニットとして提供される。ユーザ機器によっては、ユーザインタフェースは、内部接続や外部接続する機器のインタフェースであってもよい。接続する機器は、キーパッド、ディスプレイ、スピーカ、マイクロフォン、ジョイスティックなどを含むが、それらに限られない。
【００７４】
プロセッサは、バスアーキテクチャと通常の処理を管理する。メモリは、プロセッサによる作業時に使用されるデータを記憶できる。
【図面の簡単な説明】
【００７５】
【図１】関連技術におけるＤ２Ｄ発見とＤ２Ｄ通信の模式図である。
【図２】関連技術のＵＥ・ネットワーク中継において中継ノードを介してデータを伝送する例示図である。
【図３】関連技術の互い近隣ではないパブリックセーフティＵＥの間において中継ノードを介してデータを伝送する例示図である。
【図４Ａ】関連技術におけるＤ２Ｄ直接発見メカニズムの２種類の送信モデルの模式図である。
【図４Ｂ】関連技術におけるＤ２Ｄ直接発見メカニズムの２種類の送信モデルの模式図である。
【図５】本発明の少なくとも１つの実施例におけるＤ２Ｄ中継ノードの確定方法のフローチャートである。
【図６Ａ】ＰＣ５インタフェースの制御プレーンのプロトコルスタック模式図である。
【図６Ｂ】本発明の少なくとも１つの実施例におけるＤ２Ｄ中継ノードの非活性化プロセスの模式図である。
【図７】本発明の少なくとも１つの実施例におけるＤ２Ｄ中継ノードの使用方法のフローチャートである。
【図８】本発明の実施例におけるＤ２Ｄ直接発見メカニズムの２種類の送信モデルの模式図である。
【図９】本発明の少なくとも１つの実施例におけるＤ２Ｄ中継ノードの確定方法のフローチャートである。
【図１０】本発明の少なくとも１つの実施例におけるＤ２Ｄ中継ノードの使用方法のフローチャートである。
【図１１】本発明の実施例におけるＤ２Ｄ直接発見メカニズムの２種類の送信モデルの模式図である。
【図１２】本発明の少なくとも１つの実施例におけるＤ２Ｄ中継ノードの確定端末の構造模式図である。
【図１３】本発明の少なくとも１つの実施例におけるＤ２Ｄ中継ノードの使用端末の構造模式図である。
【図１４】本発明の少なくとも１つの実施例におけるＤ２Ｄ中継ノードの確定端末の構造模式図である。
【図１５】本発明の少なくとも１つの実施例におけるＤ２Ｄ中継ノードの使用端末の構造模式図である。
【図１６】本発明の少なくとも１つの実施例におけるＤ２Ｄ中継ノードの確定端末の構造模式図である。
【図１７】本発明の少なくとも１つの実施例におけるＤ２Ｄ中継ノードの使用端末の構造模式図である。
【図１８】本発明の少なくとも１つの実施例におけるＤ２Ｄ中継ノードの確定端末の構造模式図である。
【図１９】本発明の少なくとも１つの実施例におけるＤ２Ｄ中継ノードの確定端末の構造模式図である。
【発明を実施するための形態】
【００７６】
以下、本発明の実施例の図面を参照しながら、本発明の実施例の技術手段を明確且つ完全に記載する。明らかに、記載する実施例は、本発明の実施例の一部であり、全てではない。本発明の実施例に基づき、当業者が創造性のある作業を要さずに為しえる全ての他の実施例は、いずれも本発明の保護範囲に属するものである。
【００７７】
Ｄ２Ｄ通信メカニズムにおいて、リモートＵＥによるネットワークとの通信を可能にするために、リモートＵＥに対し近傍の在圏ＵＥを選択してデータ中継をさせることが可能であり、これをＵＥ・ネットワーク中継という。この場合、リモートＵＥは、まず使用可能なＵＥ・ネットワーク中継ノードを見つける必要がある。現在関連する解決手段がまだなく、本発明の実施例は、無線アクセスネットワーク（Ｒａｄｉｏ  Ａｃｃｅｓｓ  Ｎｅｔｗｏｒｋ，ＲＡＮ）に基づくメカニズムを提供する。ＵＥ・ネットワーク中継ノードによる中継機能の動的活性化／非活性化が可能であり、リモートＵＥは、適切なＵＥ・ネットワーク中継ノードを見つけることができる。当該手段は、同様に、リモートＵＥが適切なＵＥ・ＵＥ中継ノードを見つけて別のリモートＵＥと通信するためのＵＥ・ＵＥ中継にも適用する。
【００７８】
記載しやすくするために、２種類のリンクタイプを定義する。
Ｄ２Ｄリンクとは、機器同士が直接通信するリンクである。
Ｄ２Ｎリンクとは、機器とネットワークノードとの間で通信するリンクである。
【００７９】
また、Ｄ２Ｄ発見／通信に関与するＵＥは、２種類の役柄に分けられる。
Ｄ２Ｄ発見ＵＥとは、Ｄ２Ｄ発見又はＤ２Ｄ通信メッセージを送信するＵＥである。
Ｄ２Ｄ受信ＵＥとは、Ｄ２Ｄ発見ＵＥから送信される発見又はＤ２Ｄ通信メッセージを受信するＵＥである。
【００８０】
現在、３ＧＰＰでは、直接発見とコアネットワークレイヤ（ＥＰＣ−Ｌｅｖｅｌ）発見の２種類のＤＥＤ発見メカニズムが示されている。本発明の実施例におけるＤ２Ｄ発見方法は、前者のＤ２Ｄ発見メカニズムを利用する。即ち、送信ＵＥは、直接エアインタフェースでＤ２Ｄ発見信号を送信し、近隣にある受信ＵＥは、エアインタフェースで受信したＤ２Ｄ発見信号に基づいて直接Ｄ２Ｄ発見を行う。当該プロセスは、ＵＥとＵＥの間のＰＣ５インタフェースのみに係り、図４Ａに示すモデル（Ｍｏｄｅｌ）Ａ（「Ｉ  ａｍ  ｈｅｒｅ」）と図４Ｂに示すＭｏｄｅｌ  Ｂ（「Ｗｈｏ  ｉｓ  ｔｈｅｒｅ」  ／「ａｒｅ  ｙｏｕ  ｔｈｅｒｅ」）の２種類の送信モデルを有する。
【００８１】
Ｍｏｄｅｌ  Ａに基づき、図５に示すように、本発明の少なくとも１つの実施例によるＤ２Ｄ中継ノードの確定方法の具体的なフローは以下である。
【００８２】
ステップ５００において、第１ＵＥは、自身の作動状態を測定する。
【００８３】
具体的に、第１ＵＥが自身の作動状態を測定することは、具体的に、第１ＵＥが自身の中継権限に対するネットワーク側の認証結果を取得すること、第１ＵＥが現在アクセスするネットワークの負荷量を取得すること、第１ＵＥが自身のＵＵインタフェースの信号品質測定値を取得すること、第１ＵＥが自身の現在のサービス処理能力を取得すること、第１ＵＥが自身の地理上位置を取得すること、第１ＵＥが自身の運動速度を取得すること、及び第１ＵＥが現在のリモートＵＥの中継ニーズ量を取得することのうちの少なくとも１つを含む。
【００８４】
ステップ５０１において、第１ＵＥは、自身の作動状態が所定の条件を満たすことを測定結果に基づいて確定すると、自身が中継ノードであると確定する。ここで、当該作動状態は、少なくとも当該第１ＵＥの権限又は作動環境又は処理能力を表現する。
【００８５】
具体的に、第１ＵＥが、自身の作動状態が所定の条件を満たすことを測定結果に基づいて確定すると、自身が中継ノードであると確定することは、具体的に、第１ＵＥが、自身の中継権限に対するネットワーク側の認証結果として、使用可中継権限であると確定すると、自身が中継ノードであると確定すること、第１ＵＥが、現在アクセスするネットワークの負荷量が所定閾値より小さいと確定すると、自身が中継ノードであると確定すること、第１ＵＥが、自身のＵＵインタフェースの信号品質測定値が所定閾値より大きいと確定すると、自身が中継ノードであると確定すること、第１ＵＥが、自身の現在のサービス処理能力が所定閾値より大きいと確定すると、自身が中継ノードであると確定すること、第１ＵＥが、自身がセルエッジ位置に位置すると確定すると、自身が中継ノードであると確定すること、第１ＵＥが、自身の運動速度が所定閾値より小さいと確定すると、自身が中継ノードであると確定すること、及び第１ＵＥが、現在のリモートＵＥの中継ニーズ量が所定閾値より大きいと確定すると、自身が中継ノードであると確定することのうちの少なくとも１つを含む。
【００８６】
ステップ５０２において、第１ＵＥは、ＰＣ５インタフェースを利用して、自身が中継ノードである旨をＤ２Ｄリンク使用中の他ＵＥに通知する。
【００８７】
具体的に、第１ＵＥが、ＰＣ５インタフェースを利用して、自身が中継ノードである旨をＤ２Ｄリンク使用中の他ＵＥに通知することは、以下２種類の場合を含む。
【００８８】
場合１：第１ＵＥは、ＰＣ５インタフェースのＲＲＣ（Ｒａｄｉｏ  Ｒｅｓｏｕｒｃｅ  Ｃｏｎｔｒｏｌ）メッセージによって、自身が中継ノードである旨をＤ２Ｄリンク使用中の他ＵＥに通知する。ここで、当該ＲＲＣメッセージには、当該第１ＵＥの中継指示とＩＤを付随する。
【００８９】
例えば、第１ＵＥは、ネットワークにアクセスするときのネットワーク認証結果、ネットワーク負荷状況、自身のサービス処理能力、ＵＵインタフェースの信号品質、ＵＥの地理上位置などの要素に基づいて、自身が中継ノードであると確定する。中継機能の活性化と決める場合、ＰＣ５インタフェースの新しいＲＲＣメッセージに中継指示（Ｒｅｌａｙ  ｉｎｄｉｃａｔｉｏｎ）、中継ＩＤ（Ｒｅｌａｙ  ＩＤ）情報を付随するように定義することができる。中継指示を「１」とした場合、中継活性化状態を示す。
【００９０】
場合２：第１ＵＥは、ＰＣ５インタフェースのＭＩＢ−ＳＬメッセージによって、自身が中継ノードである旨をＤ２Ｄリンク使用中の他ＵＥに通知する。ここで、当該ＭＩＢ−ＳＬメッセージには、当該第１ＵＥの中継指示とＩＤを付随する。
【００９１】
ＰＣ５インタフェースの制御プレーンのプロトコルスタックは、図６Ａに示すように、具体的にＲＲＣレイヤ、ＲＬＣ（Ｒａｄｉｏ  Ｌｉｎｋ  Ｃｏｎｔｒｏｌ）レイヤ、ＭＡＣ（Ｍｅｄｉｕｍ  Ａｃｃｅｓｓ  Ｃｏｎｔｒｏｌ）レイヤ、ＰＨＹレイヤ（Ｐｈｙｓｉｃａｌ  ｌａｙｅｒ）を含む。本発明の実施例のＵＥ同士のデータのやり取りは、ＲＲＣレイヤに応用されるため、ＵＥ同士のデータ伝送がより迅速であり、信頼可能である。
【００９２】
例えば、第１ＵＥは、ネットワークにアクセスするときのネットワーク認証結果、ネットワーク負荷状況、自身のサービス処理能力、ＵＵインタフェースの信号品質、ＵＥの地理上の位置などの要素に基づいて、自身が中継ノードであると確定する。中継機能の活性化と決めるには、関連技術のＰＣ５インタフェースのＭＩＢ−ＳＬメッセージの予備ビット（ｒｅｓｅｒｖｅｄ  ｂｉｔｓ）を利用して実現し、中継指示（Ｒｅｌａｙ  ｉｎｄｉｃａｔｉｏｎ）、中継ＩＤ（Ｒｅｌａｙ  ＩＤ）情報を付随する。中継指示をブール（Ｂｏｏｌｅｎ）値に設定することができ、「１」とした場合、活性化を示す。
【００９３】
更に、第１ＵＥは、ＰＣ５インタフェースを利用して、自身が中継ノードである旨をＤ２Ｄリンク使用中の他ＵＥに通知した後に、自身の作動状態が所定の条件を満たさないことを測定結果に基づいて確定すると、当該ＰＣ５インタフェースから、自身が非中継ノードである旨をＤ２Ｄリンク使用中の他ＵＥに通知する。なお、第１ＵＥは、中継機能非活性化の後に、自身の作動状態を引き続き周期的に測定する必要がある。
【００９４】
例えば、中継ノードは、ネットワークにアクセスするときのネットワーク負荷状況、自身のサービス処理能力、ＵＵインタフェースの信号品質、ＵＥの地理上位置などの要素に基づいて、中継機能の非活性化を確定する。例えば、ネットワーク負荷状況として新しいサービスの受付ができず、又は、当該中継におけるリモートＵＥの数が制限値に達しており、又は、ＵＵインタフェースの信号品質が悪く、又は、ＵＥがセルの中心位置に位置し、又は、ＵＥの運動速度があまりにも速くなると、中継ノードは、上述の要素に基づいて判断し、中継機能の非活性化を決定し、中継能力情報をブロードキャストする。この場合、中継において、ＰＣ５インタフェースの新しいＲＲＣメッセージに中継指示、中継ＩＤ情報を付随するように定義することができる。又は、関連技術のＰＣ５インタフェースのＭＩＢ−ＳＬメッセージの予備ビットによって実現される。中継指示をブール値に設定することができ、「０」とした場合、非活性化を示す。具体的に、図６Ｂを参照する。具体的なフォーマットは、以下のように示される。
【００９５】
【数１】
2018514139.tif 000003
【００９６】
リモートノードは、当該メッセージを受信すると、他の中継ノードを選択してアクセスすることができる。
【００９７】
更に、第１ＵＥは、所定範囲内のリモートＵＥから送信され、目標中継指示及び／又は中継ノードのＩＤを付随する中継発見メッセージを受信し、当該中継発見メッセージに基づいて、自身のＩＤがいずれの目標中継指示及び／又は中継ノードのＩＤに正しくマッチすると確定すると、当該リモートＵＥに中継発見応答メッセージを送信し、Ｄ２Ｄ通信を確立するよう当該リモートＵＥに指示する。
【００９８】
図７に示すように、本発明の少なくとも１つの実施例によるＤ２Ｄ中継ノードの使用方法の具体的なフローは以下である。
【００９９】
ステップ７００において、リモートＵＥは、所定範囲内の他ＵＥの通知メッセージを受信する。当該通知メッセージは、当該他ＵＥが自身の作動状態が所定の条件を満たすと判定したときに送信される。当該作動状態は、少なくとも当該他ＵＥの権限又は作動環境又は処理能力を表現する。
【０１００】
ステップ７０１において、前記リモートＵＥが、前記通知メッセージに基づいて、他ＵＥが中継ノードであると確定する。
【０１０１】
具体的に、リモートＵＥは、当該通知メッセージに基づいて、当該他ＵＥが中継ノードであると確定することは、具体的に、任意の他ＵＥから、ＵＥの中継活性化指示及び／又はＩＤを付随する通知メッセージを取得し、当該任意の他ＵＥの通知メッセージに付随される中継指示として中継活性化状態を示すと確定すると、当該任意の他ＵＥが中継ノードであると確定し、又は、任意の他ＵＥから、ＵＥの中継非活性化指示及び／又はＩＤを付随する通知メッセージを取得し、当該任意の他ＵＥの通知メッセージに付随される中継指示として中継非活性化状態を示すと確定すると、当該任意の他ＵＥが中継ノードであると確定する。
【０１０２】
更に、リモートＵＥは、当該リモートＵＥの目的中継指示及び／又は中継ノードのＩＤを付随する中継発見メッセージを、ＰＣ５インタフェースを利用してブロードキャストする。当該リモートＵＥは、他中継ノードから当該中継発見メッセージに対し返された中継発見応答メッセージを受信すると、当該他中継ノードに対しＤ２Ｄ又はＤ２Ｎ通信確立プロセスを起こす。
【０１０３】
更に、リモートＵＥは、別のリモートＵＥとのＤ２Ｄ接続が必要となると、当該中継ノードによって、当該中継ノードとのＤ２Ｄ通信確立プロセスを起こし、又は、ネットワーク側とのＤ２Ｎ接続が必要となると、当該中継ノードによって、当該中継ノードとのＤ２Ｄ通信確立プロセスを起こす。
【０１０４】
上記技術の方法に基づき、ＵＥ・ネットワーク中継又はＵＥ・ＵＥ中継ノードの中継機能が活性化される。モデルＡ（「Ｉ  ａｍ  ｈｅｒｅ」）は、図８を参照する。
【０１０５】
中継ノードは、ネットワークにアクセスするときのネットワーク認証結果、ネットワーク負荷状況、自身のサービス処理能力、ＵＵインタフェースの信号品質、ＵＥの地理上位置などの要素に基づいて、中継機能の活性化を決定する。
【０１０６】
例えば、あるＵＥのネットワーク認証結果が真（ｔｒｕｅ）であり、又は、ネットワーク負荷状況がよく新しいサービスの受付ができ、又は、中継ニーズを起こすリモートＵＥの数が制限値に達しておらず、又は、ＵＵインタフェースの信号品質がよく、又は、ＵＥがセルエッジ位置に位置すると、当該ＵＥは、上述の要素に基づいて判断し、自身が中継ノードであると確定し、中継機能の活性化を決定し、中継能力情報をブロードキャストする。ＰＣ５インタフェースの新しいＲＲＣメッセージに中継指示、中継ＩＤ情報を付随するように定義することができる。又は、関連技術のＰＣ５インタフェースのＭＩＢ−ＳＬメッセージの予備ビットによって実現される。中継指示をブール値に設定することができ、「１」とした場合、活性化を示す。具体的なフォーマットは、以下のように示される。
【０１０７】
【数２】
2018514139.tif 000004
【０１０８】
リモートＵＥは、近隣の中継ノードから送信されるＭＩＢ−ＳＬメッセージ又は新しいＲＲＣメッセージを受信し、付随される内容に基づいて当該Ｄ２Ｄ  ＵＥに中継能力を有するかを判断する。当該Ｄ２Ｄ  ＵＥに中継能力を有する場合、リモートＵＥは、中継ノードに対し、例えば一対一の通信確立プロセス、ＩＰアドレス割り当てプロセスなど後続の通信確立プロセスを起こす。
【０１０９】
モデルＢに基づいて、図９に示すように、本発明の少なくとも１つの実施例によるＤ２Ｄ中継ノードの確定方法の具体的なフローは以下である。
【０１１０】
ステップ９００において、第１ＵＥは、所定範囲内のリモートＵＥから送信され、目的中継指示及び／又は中継ノードのＩＤを付随する中継発見メッセージを受信する。
【０１１１】
ステップ９０１において、第１ＵＥは、当該中継発見メッセージに基づいて、自身のＩＤがいずれの目標中継ノードの中継指示及び／又はＩＤに正しくマッチすると確定すると、当該リモートＵＥに中継発見応答メッセージを送信し、Ｄ２Ｄ通信を確立するよう当該リモートＵＥに指示する。
【０１１２】
図１０に示すように、本発明の少なくとも１つの実施例によるＤ２Ｄ中継ノードの使用方法の具体的なフローは以下である。
【０１１３】
ステップ１００において、リモートＵＥは、当該リモートＵＥの目的中継指示及び／又は中継ノードのＩＤを付随する中継発見メッセージを、ＰＣ５インタフェースを利用してブロードキャストする。
【０１１４】
ステップ１０１において、リモートＵＥは、他中継ノードから当該中継発見メッセージに対し返された中継発見応答メッセージを受信すると、当該他中継ノードに対しＤ２Ｄ通信確立プロセスを起こす。
【０１１５】
具体的に、リモートＵＥが中継発見メッセージをＰＣ５インタフェースを利用してブロードキャストすることは、具体的に、当該リモートＵＥが、ＰＣ５インタフェースのＲＲＣメッセージによって、Ｄ２Ｄリンク使用中の他ＵＥに中継発見メッセージをブロードキャストし、又は、当該リモートＵＥが、ＰＣ５インタフェースのＭＩＢ−ＳＬメッセージによって、Ｄ２Ｄリンク使用中の他ＵＥに中継発見メッセージをブロードキャストすることを含む。
【０１１６】
更に、当該リモートＵＥは、別のリモートＵＥとのＤ２Ｄ接続が必要となると、当該他中継ノードによって、当該他中継ノードとのＤ２Ｄ通信確立プロセスを起こし、又は、ネットワーク側とのＤ２Ｎ接続が必要となると、当該他中継ノードによって、当該他中継ノードとのＤ２Ｄ通信確立プロセスを起こす。
【０１１７】
上記技術の方法に基づき、ＵＥ・ネットワーク中継又はＵＥ・ＵＥ中継ノードの中継機能が活性化される。モデルＢ（「Ｗｈｏ  ｉｓ  ｔｈｅｒｅ」／「ａｒｅ  ｙｏｕ  ｔｈｅｒｅ」）は、図１１を参照する。
【０１１８】
ステップ１において、リモートＵＥは、ＰＣ５インタフェースの新しいＲＲＣメッセージ又はＭＩＢ−ＳＬメッセージで中継発見メッセージをブロードキャストする。当該中継発見メッセージには、当該リモートＵＥの興味のある中継指示情報又は中継ＩＤ情報を付随することができる。
【０１１９】
ステップ２において、中継ノードは、近隣のリモートＵＥから送信されるＤ２Ｄ中継発見メッセージを受信し、当該情報に付随される内容に基づいて、リモートＵＥに対し中継発見メッセージ応答を送信する必要があるかを判断する。
【０１２０】
例えば、あるリモートＵＥとして、ＵＥ１からブロードキャストされる中継発見メッセージには当該リモートＵＥの興味のある中継指示（「１」）と複数の中継ＩＤ情報が付随されるとし、ある中継ノードとして、ＵＥ２が当該中継発見メッセージを受信し、自身のＩＤと中継発見メッセージに付随される複数の中継ＩＤとをマッチするとし、正しくマッチすると、ＵＥ１に対し中継発見メッセージ応答を送信する。あるリモートＵＥとして、ＵＥ３からブロードキャストされる中継発見メッセージには当該リモートＵＥの興味のある中継指示（「１」）のみが付随されているとし、ある中継ノードとして、ＵＥ２が当該中継発見メッセージを受信してから、当該ＵＥ２からＵＥ１に中継発見メッセージ応答を送信するとする。
【０１２１】
更に、リモートＵＥは、中継ＵＥから送信される応答メッセージを受信すると、中継ノードに対し、例えば一対一の通信確立プロセス、ＩＰアドレス割り当てプロセスなど後続の通信確立プロセスを起こす。
【０１２２】
上述の実施例に基づき、図１２に示すように、本発明の少なくとも１つの実施例によるＤ２Ｄ中継ノードの確定端末は、測定ユニット１２０と、確定ユニット１２１と、通信ユニット１２２とを含む。
測定ユニット１２０は、自身の作動状態を測定する。
確定ユニット１２１は、自身の作動状態が所定の条件を満たすことを測定結果に基づいて確定すると、自身が中継ノードであると確定する。ここで、前記作動状態は、少なくとも自端末の権限又は作動環境又は処理能力を表現する。
通信ユニット１２２は、ＰＣ５インタフェースを利用して、自身が中継ノードである旨を、Ｄ２Ｄリンク使用中の他ＵＥに通知する。
【０１２３】
このように、Ｄ２Ｄ発見又はＤ２Ｄ通信において、中継ノードを迅速に発見してデータ伝送を行うことができ、Ｄ２Ｄ発見又はＤ２Ｄ通信の効率が向上する。
【０１２４】
また、前記測定ユニット１２０は、自身の作動状態を測定するにあたり、具体的に、自身の中継権限に対するネットワーク側の認証結果を取得すること、現在アクセスするネットワークの負荷量を取得すること、自身のＵＵインタフェースの信号品質測定値を取得すること、自身の現在のサービス処理能力を取得すること、自身の地理上位置を取得すること、自身の運動速度を取得すること、及び現在のリモートＵＥの中継ニーズ量を取得することのうちの少なくとも１つを含む。
【０１２５】
また、前記確定ユニット１２１は、自身の作動状態が所定の条件を満たすことを測定結果に基づいて確定すると、自身が中継ノードであると確定することは、具体的に、自身の中継権限に対するネットワーク側の認証結果として、使用可中継権限であると確定すると、自身が中継ノードであると確定すること、現在アクセスするネットワークの負荷量が所定閾値より小さいと確定すると、自身が中継ノードであると確定すること、自身のＵＵインタフェースの信号品質測定値が所定閾値より大きいと確定すると、自身が中継ノードであると確定すること、自身の現在のサービス処理能力が所定閾値より大きいと確定すると、自身が中継ノードであると確定すること、自身がセルエッジ位置に位置すると確定すると、自身が中継ノードであると確定すること、自身の運動速度が所定閾値より小さいと確定すると、自身が中継ノードであると確定すること、及び現在のリモートＵＥの中継ニーズ量が所定閾値より大きいと確定すると、自身が中継ノードであると確定することのうちの少なくとも１つを含む。
【０１２６】
また、前記通信ユニット１２２は、ＰＣ５インタフェースを利用して、自身が中継ノードである旨をＤ２Ｄリンク使用中の他ＵＥに通知するにあたり、具体的に、自端末の中継指示とＩＤを付随するＰＣ５インタフェースのＲＲＣメッセージによって、自身が中継ノードである旨をＤ２Ｄリンク使用中の他ＵＥに通知し、又は、自端末の中継指示とＩＤを付随するＰＣ５インタフェースのＭＩＢ−ＳＬメッセージによって、自身が中継ノードである旨をＤ２Ｄリンク使用中の他ＵＥに通知する。
【０１２７】
また、前記通信ユニット１２２は、ＰＣ５インタフェースを利用して、自身が中継ノードである旨をＤ２Ｄリンク使用中の他ＵＥに通知してから、更に、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知する。前記測定ユニット１２０は、自身の作動状態を引き続き周期的に測定する。
【０１２８】
また、前記通信ユニット１２２は、更に、所定範囲内のリモートＵＥから送信され、目標中継指示及び／又は中継ノードのＩＤを付随する中継発見メッセージを受信し、前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示する。
【０１２９】
上述の実施例に基づき、図１３に示すように、本発明の少なくとも１つの実施例によるＤ２Ｄ中継ノードの使用端末は、通信ユニット１３０と確定ユニット１３１とを含む。
通信ユニット１３０は、所定範囲内の他ＵＥの通知メッセージを受信する。ここで、前記通知メッセージは、前記他ＵＥが自身の作動状態が所定の条件を満たすと判定したときに送信される。前記作動状態は、少なくとも前記他ＵＥの権限又は作動環境又は処理能力を表現する。
確定ユニット１３１は、前記通知メッセージに基づいて、前記他ＵＥが中継ノードであると確定する。
【０１３０】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【０１３１】
また、前記確定ユニット１３１は、前記通知メッセージに基づいて、前記他ＵＥが中継ノードであると確定するにあたり、具体的に、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定し、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定する。
【０１３２】
また、前記通信ユニット１３０は、更に、リモートＵＥの目的中継指示及び／又は中継ノードのＩＤを付随する中継発見メッセージを、ＰＣ５インタフェースを利用してブロードキャストする。前記リモートＵＥは、他中継ノードから前記中継発見メッセージに対し返された中継発見応答メッセージを受信すると、前記他中継ノードに対しＤ２Ｄ通信確立プロセスを起こす。
【０１３３】
また、前記通信ユニット１３０は、更に、別のリモートＵＥとのＤ２Ｄ接続が必要であると確定すると、前記中継ノードによって、前記中継ノードとのＤ２Ｄ通信確立プロセスを起こし、又は、ネットワーク側とのＤ２Ｎ接続が必要であると確定すると、前記中継ノードによって、前記中継ノードとのＤ２Ｄ通信確立プロセスを起こす。
【０１３４】
上述の実施例に基づき、図１４に示すように、本発明の少なくとも１つの実施例によるＤ２Ｄ中継ノードの確定端末は、受信ユニット１４０と、処理ユニット１４１とを含む。
受信ユニット１４０は、所定範囲内のリモートＵＥから送信され、目的中継指示及び／又は中継ノードのＩＤを付随する中継発見メッセージを受信する。
処理ユニット１４１は、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示する。
【０１３５】
このように、Ｄ２Ｄ発見又はＤ２Ｄ通信において、中継ノードを迅速に利用してデータ伝送を行うことができ、Ｄ２Ｄ発見又はＤ２Ｄ通信の効率が向上する。
【０１３６】
上述の実施例に基づき、図１５に示すように、本発明の少なくとも１つの実施例によるＤ２Ｄ中継ノードの使用端末は、前記リモートＵＥの目的中継指示及び／又は中継ノードのＩＤを付随する中継発見メッセージを、ＰＣ５インタフェースを利用してブロードキャストするための第１通信ユニット１５０と、他中継ノードから前記中継発見メッセージに対し返された中継発見応答メッセージを受信すると、前記他中継ノードに対しＤ２Ｄ通信確立プロセスを起こすための第２通信ユニット１５１とを含む。
【０１３７】
このように、Ｄ２Ｄ発見又はＤ２Ｄ通信において、中継ノードを迅速に発見し、それを利用してデータ伝送を行うことができ、Ｄ２Ｄ発見又はＤ２Ｄ通信の効率が向上する。
【０１３８】
また、前記第１通信ユニット１５０は、中継発見メッセージをＰＣ５インタフェースを利用してブロードキャストするにあたり、具体的に、ＰＣ５インタフェースのＲＲＣメッセージによって、Ｄ２Ｄリンク使用中の他ＵＥに中継発見メッセージをブロードキャストし、又は、ＰＣ５インタフェースのＭＩＢ−ＳＬメッセージによって、Ｄ２Ｄリンク使用中の他ＵＥに中継発見メッセージをブロードキャストする。
【０１３９】
また、前記第２通信ユニット１５１は、更に、別のリモートＵＥとのＤ２Ｄ接続が必要であると確定すると、前記他中継ノードによって、前記他中継ノードとのＤ２Ｄ通信確立プロセスを起こし、又は、ネットワーク側とのＤ２Ｎ接続が必要であると確定すると、前記他中継ノードによって、前記他中継ノードとのＤ２Ｄ通信確立プロセスを起こす。
【０１４０】
上述の実施例に基づき、図１６に示すように、本発明の少なくとも１つの実施例によるユーザ機器は、メモリ１６２０からプログラムを読み出して、自身の作動状態を測定するプロセスと、少なくとも自端末の権限又は作動環境又は処理能力を表現するための自身の作動状態が所定の条件を満たすことを測定結果に基づいて確定すると、自身が中継ノードであると確定するプロセスと、トランシーバ１６１０を介し、ＰＣ５インタフェースを利用して自身が中継ノードである旨をＤ２Ｄリンク使用中の他ＵＥに通知するプロセスを実行するプロセッサ１６００と、プロセッサ１６００による制御でデータを送受信するトランシーバ１６１０とを含む。
【０１４１】
このように、Ｄ２Ｄ発見又はＤ２Ｄ通信において、中継ノードを迅速に発見してデータ伝送を行うことができ、Ｄ２Ｄ発見又はＤ２Ｄ通信の効率が向上する。
【０１４２】
また、前記プロセッサ１６００は、自身の作動状態を測定するにあたり、具体的に、自身の中継権限に対するネットワーク側の認証結果を取得すること、現在アクセスするネットワークの負荷量を取得すること、自身のＵＵインタフェースの信号品質測定値を取得すること、自身の現在のサービス処理能力を取得すること、自身の地理上位置を取得すること、自身の運動速度を取得すること、及び現在のリモートＵＥの中継ニーズ量を取得することのうちの少なくとも１つを含む。
【０１４３】
また、プロセッサ１６００は、自身の作動状態が所定の条件を満たすことを測定結果に基づいて確定すると、自身が中継ノードであると確定することは、具体的に、自身の中継権限に対するネットワーク側の認証結果として、使用可中継権限であると確定すると、自身が中継ノードであると確定すること、現在アクセスするネットワークの負荷量が所定閾値より小さいと確定すると、自身が中継ノードであると確定すること、自身のＵＵインタフェースの信号品質測定値が所定閾値より大きいと確定すると、自身が中継ノードであると確定すること、自身の現在のサービス処理能力が所定閾値より大きいと確定すると、自身が中継ノードであると確定すること、自身がセルエッジ位置に位置すると確定すると、自身が中継ノードであると確定すること、自身の運動速度が所定閾値より小さいと確定すると、自身が中継ノードであると確定すること、及び現在のリモートＵＥの中継ニーズ量が所定閾値より大きいと確定すると、自身が中継ノードであると確定することのうちの少なくとも１つを含む。
【０１４４】
また、プロセッサ１６００は、トランシーバ１６１０を介して、ＰＣ５インタフェースを利用して自身が中継ノードである旨をＤ２Ｄリンク使用中の他ＵＥに通知するにあたり、具体的に、自端末の中継指示とＩＤを付随するＰＣ５インタフェースのＲＲＣメッセージによって、自身が中継ノードである旨をＤ２Ｄリンク使用中の他ＵＥに通知し、又は、自端末の中継指示とＩＤを付随するＰＣ５インタフェースのＭＩＢ−ＳＬメッセージによって、自身が中継ノードである旨をＤ２Ｄリンク使用中の他ＵＥに通知する。
【０１４５】
また、プロセッサ１６００は、ＰＣ５インタフェースを利用して、自身が中継ノードである旨をＤ２Ｄリンク使用中の他ＵＥに通知してから、更に、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知し、自身の作動状態を引き続き周期的に測定する。
【０１４６】
また、プロセッサ１６００は、更に、所定範囲内のリモートＵＥから送信され、目標中継指示及び／又は中継ノードのＩＤを付随する中継発見メッセージをトランシーバ１６１０を介して受信し、前記中継発見メッセージに基づいて、自身のＩＤがいずれの目標中継指示及び／又は中継ノードのＩＤに正しくマッチすると確定すると、前記リモートＵＥに中継発見応答メッセージをトランシーバ１６１０を介して送信し、Ｄ２Ｄ通信を確立するよう前記リモートＵＥに指示する。
【０１４７】
ここで、図１６において、バスアーキテクチャは、任意数の相互接続するバスとブリッジを含み、具体的に、プロセッサ１６００をはじめとする１つ又は複数のプロセッサとメモリ１６２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバ１６１０は、複数の部品であってもよく、即ち送信機と受信機を含み、伝送媒体で他の各種類の装置と通信するユニットとして提供される。ユーザ機器によっては、ユーザインタフェース１６３０は、内部接続や外部接続する機器のインタフェースであってもよい。接続する機器は、キーパッド、ディスプレイ、スピーカ、マイクロフォン、ジョイスティックなどを含むが、それらに限られない。
【０１４８】
上述の実施例に基づき、図１７に示すように、本発明の少なくとも１つの実施例において、ユーザ機器は、バスアーキテクチャと通常の処理を管理するプロセッサ１７００と、プロセッサ１７００による作業時に使用されるデータを記憶できるメモリ１７２０と、プロセッサ１７００による制御でデータを送受信するためのトランシーバ１７１０とを含む。
プロセッサ１７１０は、メモリ１７２０からプログラムを読み出して、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージをトランシーバを介して受信するプロセスと、前記通知メッセージに基づいて、前記他ＵＥが中継ノードであると確定するプロセスを実行する。
【０１４９】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【０１５０】
また、前記プロセッサ１７００は、前記通知メッセージに基づいて、前記他ＵＥが中継ノードであると確定するにあたり、具体的に、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定し、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定する。
【０１５１】
また、プロセッサ１７００は、更に、リモートＵＥの目的中継指示及び／又は中継ノードのＩＤを付随する中継発見メッセージを、トランシーバ１７１０を介してブロードキャストする。前記リモートＵＥは、他中継ノードから前記中継発見メッセージに対し返された中継発見応答メッセージを受信すると、トランシーバ１７１０を介して前記他中継ノードに対しＤ２Ｄ通信確立プロセスを起こす。
【０１５２】
また、プロセッサ１７００は、更に、別のリモートＵＥとのＤ２Ｄ接続が必要であると確定すると、前記中継ノードによって、前記中継ノードとのＤ２Ｄ通信確立プロセスを起こし、又は、ネットワーク側とのＤ２Ｎ接続が必要であると確定すると、前記中継ノードによって、前記中継ノードとのＤ２Ｄ通信確立プロセスを起こす。
【０１５３】
ここで、図１７において、バスアーキテクチャは、任意数の相互接続するバスとブリッジを含み、具体的に、プロセッサ１７００をはじめとする１つ又は複数のプロセッサとメモリ１７２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバ１７１０は、複数の部品であってもよく、即ち送信機と受信機を含み、伝送媒体で他の各種類の装置と通信するユニットとして提供される。ユーザ機器によっては、ユーザインタフェース１７３０は、内部接続や外部接続する機器のインタフェースであってもよい。接続する機器は、キーパッド、ディスプレイ、スピーカ、マイクロフォン、ジョイスティックなどを含むが、それらに限られない。
【０１５４】
プロセッサ１７００は、バスアーキテクチャと通常の処理を管理する。メモリ１７２０は、プロセッサ１７００による作業時に使用されるデータを記憶できる。
【０１５５】
上述の実施例に基づき、図１８に示すように、本発明の少なくとも１つの実施例において、ユーザ機器は、バスアーキテクチャと通常の処理を管理するプロセッサ１８００と、プロセッサ１８００による作業時に使用されるデータを記憶できるメモリ１８２０と、プロセッサ１８００による制御でデータを送受信するためのトランシーバ１８１０とを含む。
プロセッサ１８００は、メモリ１８２０からプログラムを読み出して、所定範囲内のリモートＵＥから送信され、目的中継指示及び／又は中継ノードのＩＤを付随する中継発見メッセージをトランシーバ１８１０を介して受信するプロセスと、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するプロセスを実行する。
【０１５６】
このように、Ｄ２Ｄ発見又はＤ２Ｄ通信において、中継ノードを迅速に確定し、それを使用してデータ伝送を行うことができ、Ｄ２Ｄ発見又はＤ２Ｄ通信の効率が向上する。
【０１５７】
ここで、図１８において、バスアーキテクチャは、任意数の相互接続するバスとブリッジを含み、具体的に、プロセッサ１８００をはじめとする１つ又は複数のプロセッサとメモリ１８２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバ１８１０は、複数の部品であってもよく、即ち送信機と受信機を含み、伝送媒体で他の各種類の装置と通信するユニットとして提供される。ユーザ機器によっては、ユーザインタフェース１８３０は、内部接続や外部接続する機器のインタフェースであってもよい。接続する機器は、キーパッド、ディスプレイ、スピーカ、マイクロフォン、ジョイスティックなどを含むが、それらに限られない。
【０１５８】
プロセッサ１８００は、バスアーキテクチャと通常の処理を管理する。メモリ１８２０は、プロセッサ１８００による作業時に使用されるデータを記憶できる。
【０１５９】
上述の実施例に基づき、図１９に示すように、本発明の少なくとも１つの実施例において、ユーザ機器は、バスアーキテクチャと通常の処理を管理するプロセッサ１９００と、プロセッサ１９００による作業時に使用されるデータを記憶できるメモリ１９２０と、プロセッサ１９００による制御でデータを送受信するためのトランシーバ１９１０とを含む。
プロセッサ１９００は、メモリ１９２０からプログラムを読み出して、前記リモートＵＥの目的中継指示及び／又は中継ノードのＩＤを付随する中継発見メッセージをトランシーバ１９１０を介してブロードキャストするプロセスと、他中継ノードから前記中継発見メッセージに対し返された中継発見応答メッセージを受信すると、前記他中継ノードに対しＤ２Ｄ通信確立プロセスを起こすプロセスを実行する。
【０１６０】
このように、Ｄ２Ｄ発見又はＤ２Ｄ通信において、中継ノードを迅速に発見し、それを利用してデータ伝送を行うことができ、Ｄ２Ｄ発見又はＤ２Ｄ通信の効率が向上する。
【０１６１】
また、プロセッサ１９００は、中継発見メッセージをトランシーバ１９１０を介してブロードキャストするにあたり、具体的に、ＰＣ５インタフェースのＲＲＣメッセージによって、Ｄ２Ｄリンク使用中の他ＵＥに中継発見メッセージをブロードキャストし、又は、ＰＣ５インタフェースのＭＩＢ−ＳＬメッセージによって、Ｄ２Ｄリンク使用中の他ＵＥに中継発見メッセージをブロードキャストする。
【０１６２】
また、プロセッサ１９００は、更に、別のリモートＵＥとのＤ２Ｄ接続が必要であると確定すると、前記他中継ノードによって、前記他中継ノードとのＤ２Ｄ通信確立プロセスを起こし、又は、ネットワーク側とのＤ２Ｎ接続が必要であると確定すると、前記他中継ノードによって、前記他中継ノードとのＤ２Ｄ通信確立プロセスを起こす。
【０１６３】
ここで、図１９において、バスアーキテクチャは、任意数の相互接続するバスとブリッジを含み、具体的に、プロセッサ１９００をはじめとする１つ又は複数のプロセッサとメモリ１９２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本明細書においてさらなる記載をしない。バスインタフェースにより、インタフェースが提供される。トランシーバ１９１０は、複数の部品であってもよく、即ち送信機と受信機を含み、伝送媒体で他の各種類の装置と通信するユニットとして提供される。ユーザ機器によっては、ユーザインタフェース１９３０は、内部接続や外部接続する機器のインタフェースであってもよい。接続する機器は、キーパッド、ディスプレイ、スピーカ、マイクロフォン、ジョイスティックなどを含むが、それらに限られない。
【０１６４】
プロセッサ１９００は、バスアーキテクチャと通常の処理を管理する。メモリ１９２０は、プロセッサ１９００による作業時に使用されるデータを記憶できる。
【０１６５】
以上の記載をまとめると、本発明の実施例において、第１ＵＥは、自身の作動状態を測定し、自身の作動状態が所定の条件を満たすことを測定結果に基づいて確定すると、自身が中継ノードであると確定し、ＰＣ５インタフェースを利用して、自身が中継ノードである旨をＤ２Ｄリンク使用中の他ＵＥに通知する。このように、Ｄ２Ｄ発見又はＤ２Ｄ通信において、中継ノードを迅速に発見してデータ伝送を行うことができ、Ｄ２Ｄ発見又はＤ２Ｄ通信の効率が向上する。
【０１６６】
本発明の実施例は、方法、システム、又はコンピュータプログラムプロダクトとして提供されうると当業者が理解できる。従って、本発明は、完全にハードウェアの実施例、完全にソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１６７】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０１６８】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１６９】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１７０】
本発明の好適な実施例を記載したが、当業者は、基本的な創造性概念を一旦理解すると、これらの実施例に対し別の変更や修正をすることができる。従って、添付の特許請求の範囲は、好適な実施例及び本発明の範囲に入る全ての変更や修正を含むことを意図とする。
【０１７１】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図する。
【図１】
2018514139.tif 000005
【図２】
2018514139.tif 000006
【図３】
2018514139.tif 000007
【図４Ａ】
2018514139.tif 000008
【図４Ｂ】
2018514139.tif 000009
【図５】
2018514139.tif 000010
【図６Ａ】
2018514139.tif 000011
【図６Ｂ】
2018514139.tif 000012
【図７】
2018514139.tif 000013
【図８】
2018514139.tif 000014
【図９】
2018514139.tif 000015
【図１０】
2018514139.tif 000016
【図１１】
2018514139.tif 000017
【図１２】
2018514139.tif 000018
【図１３】
2018514139.tif 000019
【図１４】
2018514139.tif 000020
【図１５】
2018514139.tif 000021
【図１６】
2018514139.tif 000022
【図１７】
2018514139.tif 000023
【図１８】
2018514139.tif 000024
【図１９】
2018514139.tif 000025
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
第１ＵＥが、自身の作動状態を測定することと、
前記第１ＵＥが、少なくとも前記第１ＵＥの権限又は作動環境又は処理能力を表現するための自身の作動状態が所定の条件を満たすことを測定結果に基づいて確定すると、自身が中継ノードであると確定することと、
前記第１ＵＥが、ＰＣ５インタフェースを利用して、自身が中継ノードである旨をＤ２Ｄリンク使用中の他ＵＥに通知することと
を含むことを特徴とするＤ２Ｄ中継ノードの確定方法。
【請求項２】
前記第１ＵＥが自身の作動状態を測定することは、具体的に、
前記第１ＵＥが、自身の中継権限に対するネットワーク側の認証結果を取得すること、
前記第１ＵＥが、現在アクセスするネットワークの負荷量を取得すること、
前記第１ＵＥが、自身のＵＵインタフェースの信号品質測定値を取得すること、
前記第１ＵＥが、自身の現在のサービス処理能力を取得すること、
前記第１ＵＥが、自身の地理上位置を取得すること、
前記第１ＵＥが、自身の運動速度を取得すること、及び
前記第１ＵＥが、現在のリモートＵＥの中継ニーズ量を取得することのうちの少なくとも１つを含むことを特徴とする請求項１に記載のＤ２Ｄ中継ノードの確定方法。
【請求項３】
前記第１ＵＥが、自身の作動状態が所定の条件を満たすことを測定結果に基づいて確定すると、自身が中継ノードであると確定することは、具体的に、
前記第１ＵＥが、自身の中継権限に対するネットワーク側の認証結果として、使用可中継権限であると確定すると、自身が中継ノードであると確定すること、
前記第１ＵＥが、現在アクセスするネットワークの負荷量が所定閾値より小さいと確定すると、自身が中継ノードであると確定すること、
前記第１ＵＥが、自身のＵＵインタフェースの信号品質測定値が所定閾値より大きいと確定すると、自身が中継ノードであると確定すること、
前記第１ＵＥが、自身の現在のサービス処理能力が所定閾値より大きいと確定すると、自身が中継ノードであると確定すること、
前記第１ＵＥが、自身がセルエッジ位置に位置すると確定すると、自身が中継ノードであると確定すること、
前記第１ＵＥが、自身の運動速度が所定閾値より小さいと確定すると、自身が中継ノードであると確定すること、及び
前記第１ＵＥが、現在のリモートＵＥの中継ニーズ量が所定閾値より大きいと確定すると、自身が中継ノードであると確定することのうちの少なくとも１つを含むことを特徴とする請求項１に記載のＤ２Ｄ中継ノードの確定方法。
【請求項４】
前記第１ＵＥが、ＰＣ５インタフェースを利用して、自身が中継ノードである旨をＤ２Ｄリンク使用中の他ＵＥに通知することは、具体的に、
前記第１ＵＥが、前記第１ＵＥの中継指示とＩＤを付随するＰＣ５インタフェースのＲＲＣメッセージによって、自身が中継ノードである旨をＤ２Ｄリンク使用中の他ＵＥに通知すること、
又は、
前記第１ＵＥが、前記第１ＵＥの中継指示とＩＤを付随するＰＣ５インタフェースのＭＩＢ−ＳＬメッセージによって、自身が中継ノードである旨をＤ２Ｄリンク使用中の他ＵＥに通知することを含むことを特徴とする請求項１〜３のいずれか一項に記載のＤ２Ｄ中継ノードの確定方法。
【請求項５】
前記第１ＵＥが、ＰＣ５インタフェースを利用して、自身が中継ノードである旨をＤ２Ｄリンク使用中の他ＵＥに通知してから、更に、
前記第１ＵＥが、自身の作動状態が所定の条件を満たさないことを測定結果に基づいて確定すると、前記ＰＣ５インタフェースを利用して、自身が非中継ノードである旨をＤ２Ｄリンク使用中の他ＵＥに通知することと、
前記第１ＵＥが、自身の作動状態を引き続き周期的に測定することと
を含むことを特徴とする請求項１〜３のいずれか一項に記載のＤ２Ｄ中継ノードの確定方法。
【請求項６】
前記第１ＵＥが、所定範囲内のリモートＵＥから送信され、目標中継指示及び／又は中継ノードのＩＤを付随する中継発見メッセージを受信することと、
前記第１ＵＥが、前記中継発見メッセージに基づいて、自身のＩＤがいずれの目標中継指示及び／又は中継ノードのＩＤに正しくマッチすると確定すると、前記リモートＵＥに中継発見応答メッセージを送信し、Ｄ２Ｄ通信を確立するよう前記リモートＵＥに指示することと
を更に含むことを特徴とする請求項１に記載のＤ２Ｄ中継ノードの確定方法。
【請求項７】
リモートＵＥが、所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信することと、
前記リモートＵＥが、前記通知メッセージに基づいて、前記他ＵＥが中継ノードであると確定することと
を含むことを特徴とするＤ２Ｄ中継ノードの使用方法。
【請求項８】
前記リモートＵＥが、前記通知メッセージに基づいて、前記他ＵＥが中継ノードであると確定することは、具体的に、
前記リモートＵＥが、任意の他ＵＥから、ＵＥの中継活性化指示及び／又はＩＤを付随する通知メッセージを取得し、前記任意の他ＵＥの通知メッセージに付随される中継指示として中継活性化状態を示すと確定すると、前記任意の他ＵＥが中継ノードであると確定することと、
前記リモートＵＥが、任意の他ＵＥから、ＵＥの中継非活性化指示及び／又はＩＤを付随する通知メッセージを取得し、前記任意の他ＵＥの通知メッセージに付随される中継指示として中継非活性化状態を示すと確定すると、前記任意の他ＵＥが中継ノードであると確定することと
を含むことを特徴とする請求項７に記載のＤ２Ｄ中継ノードの使用方法。
【請求項９】
前記リモートＵＥが、前記リモートＵＥの目的中継指示及び／又は中継ノードのＩＤを付随する中継発見メッセージを、ＰＣ５インタフェースを利用してブロードキャストすることと、
前記リモートＵＥが、他中継ノードから前記中継発見メッセージに対し返された中継発見応答メッセージを受信すると、前記他中継ノードに対しＤ２Ｄ通信確立プロセスを起こすことを更に含むことを特徴とする請求項７に記載のＤ２Ｄ中継ノードの使用方法。
【請求項１０】
前記リモートＵＥが、別のリモートＵＥとのＤ２Ｄ接続が必要となると、前記中継ノードによって、前記中継ノードとのＤ２Ｄ通信確立プロセスを起こし、又は、
前記リモートＵＥが、ネットワーク側とのＤ２Ｎ接続が必要となると、前記中継ノードによって、前記中継ノードとのＤ２Ｄ通信確立プロセスを起こすことを更に含むことを特徴とする請求項７〜９のいずれか一項に記載のＤ２Ｄ中継ノードの使用方法。
【請求項１１】
第１ＵＥが、所定範囲内のリモートＵＥから送信され、目的中継指示及び／又は中継ノードのＩＤを付随する中継発見メッセージを受信することと、
前記第１ＵＥが、前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示することと
を含むことを特徴とするＤ２Ｄ中継ノードの確定方法。
【請求項１２】
リモートＵＥが、前記リモートＵＥの目的中継指示及び／又は中継ノードのＩＤを付随する中継発見メッセージを、ＰＣ５インタフェースを利用してブロードキャストすることと、
前記リモートＵＥが、他中継ノードから前記中継発見メッセージに対し返された中継発見応答メッセージを受信すると、前記他中継ノードに対しＤ２Ｄ通信確立プロセスを起こすことと
を含むことを特徴とするＤ２Ｄ中継ノードの使用方法。
【請求項１３】
前記リモートＵＥが中継発見メッセージをＰＣ５インタフェースを利用してブロードキャストすることは、具体的に、
前記リモートＵＥが、ＰＣ５インタフェースのＲＲＣメッセージによって、Ｄ２Ｄリンク使用中の他ＵＥに中継発見メッセージをブロードキャストし、又は、
前記リモートＵＥが、ＰＣ５インタフェースのＭＩＢ−ＳＬメッセージによって、Ｄ２Ｄリンク使用中の他ＵＥに中継発見メッセージをブロードキャストすることを含むことを特徴とする請求項１２に記載のＤ２Ｄ中継ノードの使用方法。
【請求項１４】
前記リモートＵＥが、別のリモートＵＥとのＤ２Ｄ接続が必要となると、前記他中継ノードによって、前記他中継ノードとのＤ２Ｄ通信確立プロセスを起こし、又は、
前記リモートＵＥが、ネットワーク側とのＤ２Ｎ接続が必要となると、前記他中継ノードによって、前記他中継ノードとのＤ２Ｄ通信確立プロセスを起こすことを更に含むことを特徴とする請求項１２又は１３に記載のＤ２Ｄ中継ノードの使用方法。
【請求項１５】
Ｄ２Ｄ中継ノードの確定端末において、
自身の作動状態を測定するための測定ユニットと、
少なくとも自端末の権限又は作動環境又は処理能力を表現するための自身の作動状態が所定の条件を満たすことを測定結果に基づいて確定すると、自身が中継ノードであると確定するための確定ユニットと、
ＰＣ５インタフェースを利用して、自身が中継ノードである旨を、Ｄ２Ｄリンク使用中の他ＵＥに通知するための通信ユニットと
を含むことを特徴とするＤ２Ｄ中継ノードの確定端末。
【請求項１６】
所定範囲内の他ＵＥから、少なくとも前記他ＵＥの権限又は作動環境又は処理能力を表現するための前記他ＵＥ自身の作動状態が所定の条件を満たすことを前記他ＵＥによって判定されたときに送信される通知メッセージを受信するための通信ユニットと、
前記通知メッセージに基づいて、前記他ＵＥが中継ノードであると確定するための確定ユニットと
を含むことを特徴とするＤ２Ｄ中継ノードの使用端末。
【請求項１７】
所定範囲内のリモートＵＥから送信され、目的中継指示及び／又は中継ノードのＩＤを付随する中継発見メッセージを受信するための受信ユニットと、
前記中継発見メッセージに基づいて、自身のＩＤがいずれの目標中継ノードの中継指示及び／又はＩＤに正しくマッチすると確定すると、前記リモートＵＥに中継発見応答メッセージを送信し、Ｄ２Ｄ通信を確立するよう前記リモートＵＥに指示するための処理ユニットと
を含むことを特徴とするＤ２Ｄ中継ノードの確定端末。
【請求項１８】
前記リモートＵＥの目的中継指示及び／又は中継ノードのＩＤを付随する中継発見メッセージを、ＰＣ５インタフェースを利用してブロードキャストするための第１通信ユニットと、
他中継ノードから前記中継発見メッセージに対し返された中継発見応答メッセージを受信すると、前記他中継ノードに対しＤ２Ｄ通信確立プロセスを起こすための第２通信ユニットと
を含むことを特徴とするＤ２Ｄ中継ノードの使用端末。
【国際調査報告】
2018514139.tif 000026
2018514139.tif 000027
2018514139.tif 000028
2018514139.tif 000029